(57)【特許請求の範囲】
【請求項１】
供給管挿通用の貫通孔が開設された水栓取付板部の上部に、供給管の挿通孔を有する水栓取り付け用のアダプターを、それらの両孔を連通させる状態で上方から固定し、このアダプターに水栓を取り付けるようにした水栓取付け機構であって、前記アダプターに、少なくとも３個の透孔をアダプター中心まわりでほゞ等間隔に形成すると共に、上部に回転操作頭部を有するネジ部材を前記少なくとも３個の透孔にそれぞれ上方から回転可能に挿通し、各ネジ部材に、前記貫通孔を上方から通過する第１姿勢と、水栓取付板部上方でのネジ部材の回転操作に伴って隣るネジ部材に係止し且つ係止後は螺進に伴って水栓取付板部の下面に係止する第２姿勢とに、それぞれ切り換え可能にホルダーを螺着して、前記水栓取付板部をアダプターとホルダーとによって挟着するように構成して成ることを特徴とする水栓取り付け機構。
【発明の詳細な説明】
【０００１】
【発明の属する技術分野】
本発明は、例えば台所の流し台などの水栓取付板部に対して、板部上方からの一人作業によって水栓を取り付けることができるようにした水栓取り付け機構に関するものである。
【０００２】
【従来の技術】
上記の水栓取り付け機構として、図６に示すように、例えば湯水混合栓（水栓の一例）３１の湯水供給管３２，３３を挿通するための貫通孔３４が開設された水栓取付板部３５の上部に、上記供給管３２，３３の挿通孔３６を有する水栓取り付け用のアダプター３７を、それらの両孔３４，３６を連通させる状態で上方から固定し、このアダプター３７に湯水混合栓３１を外嵌合させて、ビス３８止めするようにしたものがある。
【０００３】
具体的には、水栓取り付け機構３９は、図７に示すように、湯水供給管３２，３３の挿通孔３６を形成したアダプター３７に、２個の透孔４０，４０を形成する一方、この透孔４０，４０に、上部に回転操作頭部ｈを有するネジ部材４１，４１を上方から挿通して、各ネジ部材４１にホルダー４２を螺着し、かつ、前記ネジ部材４１，４１の挿通端にわたって半円状の連結部材４３を設けると共に、この連結部材４３と前記アダプター３７とにわたってホルダー４２の回り止め部材４４，４４を設けた上で、前記ネジ部材４１，４１の挿通端に、前記連結部材４３の抜け止め防止用のＥリングｉ，ｉを設けて成るものがある。
【０００４】
上記のネジ部材４１に螺着のホルダー４２は、図８に示すように、水栓取付板部３５に開設の貫通孔３４を上方から通過する第１姿勢Ａと、図９（Ａ），（Ｂ）に示すように、水栓取付板部上方でのネジ部材４１の回転操作に伴って、このネジ部材４１と共回りして回り止め部材４４に係止する第２姿勢Ｂとに、それぞれ切り換え可能であって、かつ、係止後は螺進に伴って水栓取付板部３５の下面に係止する形状に形成されており、このホルダー４２とアダプター３７とによって水栓取付板部３５を挟着（図６を参照）することで、前記アダプター３７を水栓取付板部３５に上方から固定するように構成されている。
【０００５】
従って、爾後は、湯水混合栓３１に接続の供給管３２，３３をアダプター３７の供給管挿通孔３６に上方から挿通し、かつ、湯水混合栓３１をアダプター３７にビス３８止めすることで、流し台などの下部に潜り込むことなく、水栓取付板部３５に対する一連の湯水混合栓３１の取り付けを、板部上方からの一人作業によって楽に行うことができるのである。
【０００６】
【発明が解決しようとする課題】
ところが、上記構成の水栓取り付け機構では、水栓取付板部３５を２個のホルダー４２，４２で締め付けるだけであるから、ホルダー４２，４２を強力に締め付けて、締め付け面圧を大きくしないことには、アダプター３７ひいては湯水混合栓３１が位置ずれすることになる。
【０００７】
更に、ホルダー４２，４２による締め付け２点を結ぶ線Ｒがアダプター中心Ｑから偏っているために、偏り反対側のアダプター部分３７ａが浮き上がり気味になり易く、湯水混合栓３１が傾き姿勢になって見栄えが悪くなる点で問題があった。
【０００８】
また、水栓取り付け機構を構成する部品の種類数が、アダプター３７とネジ部材４１およびホルダー４２に加えて、ホルダー４２を第２姿勢Ｂに切り換え保持するための回り止め部材４４と、これの回り止め部材４４をアダプター３７とによって保持するための半円状の連結部材４３、更に、この連結部材４３の抜け止め防止用のＥリングｉと多種類を必要とし、コスト的に高く付く点でも問題があった。
【０００９】
本発明は、かゝる実情に鑑みて成されたものであって、湯水混合栓などの水栓を位置ずれはもとより傾きも生じさせないで、板部上方からの一人作業で見栄え良く取り付けることができる水栓取り付け機構を、コスト的に安価に提供することを目的としている。
【００１０】
【課題を解決するための手段】
上記の目的を達成するために、本発明が講じた技術的手段は次の通りである。即ち、供給管挿通用の貫通孔が開設された水栓取付板部の上部に、供給管の挿通孔を有する水栓取り付け用のアダプターを、それらの両孔を連通させる状態で上方から固定し、このアダプターに水栓を取り付けるようにした水栓取付け機構として、本発明では、前記アダプターに、少なくとも３個の透孔をアダプター中心まわりでほゞ等間隔に形成すると共に、上部に回転操作頭部を有するネジ部材を前記少なくとも３個の透孔にそれぞれ上方から回転可能に挿通し、各ネジ部材に、前記貫通孔を上方から通過する第１姿勢と、水栓取付板部上方でのネジ部材の回転操作に伴って隣るネジ部材に係止し且つ係止後は螺進に伴って水栓取付板部の下面に係止する第２姿勢とに、それぞれ切り換え可能にホルダーを螺着して、前記水栓取付板部をアダプターとホルダーとによって挟着するように構成して成る点に特徴がある。
【００１１】
上記の構成によれば、ネジ部材に螺着した少なくとも３個のホルダーを、例えば指で寄せ集めるようにして第１姿勢にし、このホルダーを水栓取付板部に開設の貫通孔に板部上方から通過させて、ネジ部材をそれぞれ板部上方で回転させると、前記ホルダーはネジ部材と共回りして隣るネジ部材に係止し、少なくとも３個のホルダーが第２姿勢に切り換えられることになる。
【００１２】
そして、前記ネジ部材を更に増し締め回転させると、隣るネジ部材に係止したホルダーは、ネジ部材の回転に伴って螺進し、最終的に水栓取付板部の下面に係止して、アダプターとによって水栓取付板部を挟着するのであって、水栓取り付け用のアダプターを板部上方から水栓取付板部に固定することができる。
【００１３】
爾後は、水栓に接続の供給管をアダプターの供給管挿通孔に上方から挿通し、かつ、この水栓をアダプターに固定することで、水栓取付板部に対する水栓の一連の取り付けを、従来通り流し台などの下部に潜り込むことなく、板部上方での一人作業によって楽に行うことができるのである。
【００１４】
ここで、上記ホルダーによる水栓取付板部の締め付け点を、アダプター中心まわりでほゞ等間隔の少なくとも３点にしているので、ホルダー個々の締め付け面圧を従来通りとした場合、より強固にアダプターを固定できることから、アダプターひいては水栓の位置ずれが確実に防止されることになり、加えて、この少なくとも３点の締め付け点を結ぶ線内にアダプター中心が位置することから、水栓を傾斜させることなく、直立姿勢にして水栓取付板部に取り付けることができるのである。
【００１５】
また、ホルダーを第２姿勢に保持させる上で、隣るネジ部材を利用しているので、従来必要とした回り止め部材と、これを保持する半円状の連結部材と、この連結部材の抜け止め防止用のＥリングとを省略でき、従って、水栓取り付け機構を構成する部品の種類数が、アダプターとネジ部材およびホルダーの３種類だけであって、構成部品の種類数が従来に比較して半減することから、水栓取り付け機構の大幅なコストダウンも達成される。
【００１６】
もっとも、水栓取り付け機構のうち、ネジ部材とホルダーとのセットについては、これらを従来より多く必要とするが、これらは大量生産によって安価に得られることから、総じて水栓取り付け機構の大幅なコストダウンが達成されるのである。
【００１７】
【発明の実施の形態】
以下、本発明の実施の形態を図面に基づいて説明する。図１は水栓の一例の湯水混合栓１を示し、湯および水の供給管２，３と、湯水の混合比と止水を含む吐水量調節用のレバー４と、混合湯水の吐水管５とを備えて成る。
【００１８】
６は水栓取り付け用のアダプター７を備えた水栓取り付け機構で、前記供給管２，３を挿通するための貫通孔８が開設された水栓取付板部９の上部に、前記アダプター７を板部上方から固定するように構成されている。
【００１９】
詳しくは、図２〜図４に示すように、水栓取付板部９の貫通孔８よりも大径のアダプター７を、前記供給管２，３の挿通孔１０を形成するようにリング状に形成すると共に、このアダプター７の内面部に、前記貫通孔８に臨ませる状態で３個のスリーブ体１１を膨出し、各スリーブ体１１に、孔中心をアダプター中心Ｑに沿わせる状態で、３個の透孔１２をアダプター中心Ｑまわりでほゞ等間隔に形成している。
【００２０】
そして、回転操作頭部ａを有するネジ部材１３を、前記透孔１２に上方から回転可能に挿通すると共に、各ネジ部材１３に、前記貫通孔８を上方から通過する第１姿勢Ａと、水栓取付板部上方でのネジ部材１３の回転操作に伴って隣るネジ部材１３に係止し且つ係止後は螺進に伴って水栓取付板部９の下面に係止する第２姿勢Ｂとに、それぞれ切り換え可能にホルダー１４を螺着している。
【００２１】
上記のホルダー１４は、図５に示すように、前記ネジ部材１３に対する螺着用のネジ孔ｂと、ネジ部材１３に螺着された状態で、このネジ部材１３の回転に伴ってアダプター中心Ｑ側から隣るネジ部材１３に係止する係止片ｃと、隣るネジ部材１３に係止した状態で、水栓取付板部９の下面に相対峙する係止面部１４ａとを有し、かつ、係止面部１４ａの上面には、水栓取付板部９の下面に対する複数個の食い込み突起ｄが形成されている。
【００２２】
そして、第２姿勢Ｂへの切り換え状態で、隣り合うホルダー１４，１４の係止片ｃとネジ孔形成部分１４ｂとが互いに干渉しないように、ネジ孔形成部分１４ｂと係止面部１４ａとに段差を有せしめて、この段差部において、前記ホルダー１４の係止片ｃを隣るネジ部材１３に係止させるようにしている。
【００２３】
上記の構成によれば、３個のホルダー１４を、アダプター中心Ｑ側に指で寄せ集めるように回転させて、ホルダー１４を第１姿勢Ａにした状態（図３を参照）で、水栓取付板部９の貫通孔８に嵌め込み、かつ、貫通孔８を通過させて、ネジ部材１３を回転させると、このネジ部材１３を右ネジにした場合、このネジ部材１３の右回転に伴って、ホルダー１４がネジ部材１３と共回りして右回転し、右隣のネジ部材１３に係止して、水栓取付板部９の下面に係止する姿勢の第２姿勢Ｂに切り換えられる（図４を参照）。
【００２４】
ここで、ネジ部材１３を更に増し締め回転させると、隣るネジ部材１３に係止したホルダーは、その回転に伴って水栓取付板部９に向けて螺進し、最終的には図１に示すように、ホルダー上面の食い込み突起ｄが水栓取付板部９の下面に食い込み係止して、このホルダー１４とアダプター７とが水栓取付板部９を挟着するのであって、これによって水栓取り付け用のアダプター７を板部上方から水栓取付板部９に固定することができる。
【００２５】
従って、爾後は、湯水混合栓１に接続の供給管２，３をアダプター７の供給管挿通孔１０に上方から挿通し、かつ、この湯水混合栓１の下部側をアダプター７に内嵌合させて、ビスｅ止め（図２を参照）することで、水栓取付板部９に対する湯水混合栓１の一連の取り付けを、板部上方での一人作業によって楽に行うことができるのである。
【００２６】
また、ホルダー１４による水栓取付板部９の締め付け点Ｐを、アダプター中心Ｑまわりでほゞ等間隔の３点としているので、ホルダー個々の締め付け面圧を従来通りとした場合、より強固にアダプター７を固定できることから、アダプター７ひいては湯水混合栓１の位置ずれが確実に防止されることになり、加えて、この少なくとも３点の締め付け点Ｐを結ぶ線内にアダプター中心Ｑが位置することから、湯水混合栓１を傾斜させることなく、直立姿勢にして水栓取付板部９に取り付けることができる。
【００２７】
尚、上記の実施の形態では、ホルダー１４を螺着するネジ部材１３を３本にしているが、４本やそれ以上にしてもよいのである。
【００２８】
【発明の効果】
以上説明したように本発明によれば、湯水混合栓などの水栓を位置ずれはもとより傾きも生じさせないで、板部上方からの一人作業で見栄え良く取り付けることができる水栓取り付け機構が、それの構成部品の種類数を従来に比較して半減して、コスト的に安価に提供される。
【図面の簡単な説明】
【図１】  水栓取り付け機構の一部を展開図示した湯水混合栓の水栓取付板部に対する取り付け構成図である。
【図２】  水栓取り付け機構の分解斜視図である。
【図３】  第１姿勢に切り換えたホルダーの平面図である。
【図４】  第２姿勢に切り換えたホルダーの平面図である。
【図５】  ホルダーの斜視図である。
【図６】  従来例の水栓取り付け機構による湯水混合栓の水栓取付板部に対する取り付け構成図である。
【図７】  従来例の水栓取り付け機構の分解斜視図である。
【図８】  従来例の水栓取り付け機構の水栓取付板部に対する取り付け前の状態を示す斜視図である。
【図９】  （Ａ），（Ｂ）は従来例の水栓取り付け機構のホルダーの回転状態を示す斜視図と断面図である。
【符号の説明】
１…水栓（湯水混合栓）、２，３…供給管、７…アダプター、８…貫通孔、９…水栓取付板部、１０…挿通孔、１２…透孔、１３…ネジ部材、１４…ホルダー、ａ…回転操作頭部、Ａ…第１姿勢、Ｂ…第２姿勢、Ｑ…アダプター中心。
【図１】
0004068728.tif 000002
【図２】
0004068728.tif 000003
【図３】
0004068728.tif 000004
【図４】
0004068728.tif 000005
【図５】
0004068728.tif 000006
【図６】
0004068728.tif 000007
【図７】
0004068728.tif 000008
【図８】
0004068728.tif 000009
【図９】
0004068728.tif 000010